(57)【要約】      （修正有）【課題】布団や布団止めには感知せず、幼児を始め人間が寄りかかったとき感知する。感知するとマンションなどでは、管理事務所をはじめ、至る所で警報が鳴り、侵入者をすぐ警察に通報する侵入・転落防止装置を提供する。【解決手段】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。実際にはベランダ壁面上部一帯に、例えば、歪ゲージのような、荷重検出器を配置する。【選択図】図１
0003155136.tif 000002
【実用新案登録請求の範囲】
【請求項１】
マンション等のベランダの侵入者の防止装置及びその方法
【考案の詳細な説明】
【技術分野】
【０００１】  建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
【背景技術】
【０００２】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
特許電子図書館及びＪＤｒｅａｍ→で検索しても、全くない。
【考案が解決しようとする課題】
【０００３】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
【課題を解決するための手段】
【０００４】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。実際にはベランダ壁面上部一帯に、例えば、歪ゲージのような、荷重検出器を配置する。
【０００５】荷重検出器の感度を、布団を干す場合などには検出しないようにする。幼児から大人までの荷重に検出するようにする。
【考案の効果】
【０００６】建築物のベランダからの窃盗目的の侵入者やまた転落者や幼児の転落が後をたたず、社会問題となっている。マンション等建築物のベランダの侵入者防止及び転落防止装置があれば、社会的貢献は多大なものがある。
【０００７】マンション等建築物は全国、全世界に無数あり、考案の効果は甚大なものが有る。
【考案を実施するための最良の形態】
【０００８】ベランダ壁面の上部にどのようなものでも良いが、例えば、歪ゲージのような荷重センサーを全面に配置する。荷重センサーだけではなく、画像をはじめ、あらゆる感知器を対象とする。布団や布団止めには感知せず、幼児を始め、侵入や人間が寄りかかったときに感知する。感知するとマンションなどでは、管理事務所をはじめ、至る所で警報が鳴り、隣人等がベランダの壁を破り、救出し、侵入者にはすぐ警察に通報する。自殺者も救出することが出来る。
【実施例】
【０００９】実施例を図面により示す。
【産業上の利用可能性】
【００１０】マンション等建築物のベランダからの窃盗目的の侵入者やまた転落者や幼児のず、社会となっている。マンション等建築物のベランダの侵入者防止及び転落防止装置があれば、社会的貢献は多大なものがある。産業上の利用可能性は多大なものがある。【００１１】原理的には、ベランダの上部にどのようなものでも良いが、荷重センサーを配置する。荷重センサーだけではなく、画像をはじめ、あらゆる感知器を対象とする。
布団や布団止めには感知せず、幼児を始め侵入や人間が寄りかかったとき感知する。
感知するとマンションなどでは、管理事務所をはじめ、至る所で警報が鳴り、隣人等がベランダの壁を破り、救出し、侵入者にはすぐ警察に通報する。
【図面の簡単な説明】
【００１２】
【図１】ベランダの非常用警報装置を配置した図
【符号の説明】
【００１３】１はベランダ壁面上部に全面に貼られた歪ゲージ等の荷重検出器。荷重検出器の上部には柔らかく、耐久性の有る、風雨に耐えるように設置する。
２は荷重検出器に連動した非常用警報装置。
３はベランダ壁面。
【図１】
0003155136.tif 000003
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
マンション等のベランダの侵入者の防止及びベランダからの転倒防止装置
【手続補正書】
【提出日】平成21年1月7日(2009.1.7)
【手続補正１】
【補正対象書類名】実用新案登録請求の範囲
【補正対象項目名】全文
【補正方法】変更
【補正の内容】
【実用新案登録請求の範囲】
【請求項１】
マンション等のベランダの侵入者防止及び転倒防止装置
【手続補正２】
【補正対象書類名】明細書
【補正対象項目名】全文
【補正方法】変更
【補正の内容】
【考案の詳細な説明】
【技術分野】
【０００１】    建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【背景技術】
【０００２】    建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。  実用新案電子図書館及びＪＤｒｅａｍ２で検索しても、全くない。
【実用新案の開示】
【実用新案が解決しようとする課題】
建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案の効果】
建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案を実施するための最良の形態】
ベランダの上部にどのようなものでも良いが、圧電センサーを配置する。圧電センサーだけではなく、画像をはじめ、あらゆる感知器を対象とする。  布団や布団止めには感知せず、幼児を始め、侵入や人間が寄りかかったときに感知する。感知するとマンションなどでは、管理事務所をはじめ、至る所で警報が鳴り、隣人等がベランダの壁を破り、救出し、侵入者にはすぐ警察に通報する。自殺者も救出する。
【産業上の利用可能性】  マンション等建築物のベランダからの窃盗目的の侵入者やまた転倒者や幼児など転落等が、社会問題となっている。マンション等建築物のベランダの侵入者防止及び転倒防止装置があれば、社会的貢献は多大なものがある。
【図面の簡単な説明】  原理的には、ベランダの上部にどのようなものでも良いが、圧電センサーを配置する。圧電センサーだけではなく、画像をはじめ、あらゆる感知器を対象とする。  布団や布団止めには感知せず、幼児を始め侵入者や人間が寄りかかったときに感知する。  感知するとマンションなどでは、管理事務所をはじめ、至る所で警報が鳴り、隣人がベランダの壁を破り、救出し、侵入者にはすぐ警察に通報する。
【符号の説明】  図面のとおり。検出器と警報機が重要。
【手続補正３】
【補正対象書類名】図面
【補正対象項目名】全図
【補正方法】変更
【補正の内容】
【図１】
0003155136.tif 000004
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
圧電素子等をベランダの壁上部に、多数配置し、チャージ・アンプを通して、幼児から大人までの荷重を検出したら、警報装置が作動し、大きな音のブザーが鳴り、緊急事態を知らせる事を特徴とする、マンション等のベランダの侵入者防止及び転倒防止装置
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】    建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【背景技術】
【０００２】    建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
実用新案電子図書館及びＪＤｒｅａｍ２で検索しても、全くない。
【実用新案の開示】
【実用新案が解決しようとする課題】
建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【産業上の利用可能性】  マンション等建築物のベランダからの窃盗目的の侵入者やまた転倒者や幼児など転落等が、社会問題となっている。マンション等建築物のベランダの侵入者防止及び転倒防止装置があれば、社会的貢献は多大なものがある。
【図面の簡単な説明】
【図１】原理的には、ベランダの上部にどのようなものでも良いが、圧電センサーを配置する。圧電センサーだけではなく、画像をはじめ、あらゆる感知器を対象とする。布団や布団止めには感知せず、幼児を始め侵入者や人間が寄りかかったときに感知する。感知するとマンションなどでは、管理事務所をはじめ、至る所で警報が鳴り、隣人がベランダの壁を破り、救出し、侵入者にはすぐ警察に通報する。
【符号の説明】  図面のとおり。検出器と警報機が重要。
（実用新案の効果）
建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
（実用新案を実施するための最良の形態）
ベランダの上部にどのようなものでも良いが、圧電センサーを配置する。圧電センサーだけではなく、画像をはじめ、あらゆる感知器を対象とする。
布団や布団止めには感知せず、幼児を始め、侵入や人間が寄りかかったときに感知する。感知するとマンションなどでは、管理事務所をはじめ、至る所で警報が鳴り、隣人等がベランダの壁を破り、救出し、侵入者にはすぐ警察に通報する。自殺者も救出する。
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
圧電素子、あるいはロードセルをベランダの壁上部に、多数配置し、チャージ・アンプあるいはロードセルアンプを通して、幼児から大人までの荷重を検出したら、警報装置が作動し、大きな音のブザーが鳴り、緊急事態を知らせる事を特徴とする、マンション等のベランダの侵入者防止及び転倒防止装置
【手続補正２】
【補正対象書類名】明細書
【補正対象項目名】全文
【補正方法】変更
【補正の内容】
【考案の詳細な説明】
【技術分野】
【０００１】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【背景技術】
【０００２】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。  実用新案電子図書館及びＪＤｒｅａｍ２で検索しても、全くない。
【実用新案の開示】
【実用新案が解決しようとする課題】
【０００３】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案の効果】
【０００４】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案を実施するための最良の形態】
【０００５】  ベランダの上部に、圧電センサーあるいはロードセルを多数配置する。圧電センサーあるいはロードセルだけではなく、画像をはじめ、あらゆる感知器を対象とする。  布団や布団止めには感知せず、幼児を始め、侵入や人間がよじ登ったときに感知する。感知するとマンションなどでは、管理事務所をはじめ、至る所で警報が鳴り、隣人等がベランダの壁を破り、救出し、侵入者にはすぐ警察に通報する。自殺者も救出する。0003155136.tif 000005
【産業上の利用可能性】
【０００６】  マンション等建築物のベランダからの窃盗目的の侵入者やまた転倒者や幼児など転落等が、社会問題となっている。マンション等建築物のベランダの侵入者防止及び転倒防止装置があれば、社会的貢献は多大なものがある。
【図面の簡単な説明】
【０００７】  原理的には、ベランダの上部に、圧電センサーを配置する。圧電センサーだけではなく、画像をはじめ、あらゆる感知器を対象とする。  布団や布団止めには感知せず、幼児を始め侵入者や人間がよじ登ったときに感知する。  感知するとマンションなどでは、管理事務所をはじめ、至る所で警報が鳴り、隣人がベランダの壁を破り、救出し、侵入者にはすぐ警察に通報する。
【符号の説明】
【０００８】  図面のとおり。検出器と警報機が重要。
【手続補正書】
【提出日】平成21年8月22日(2009.8.22)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【背景技術】
【０００２】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
実用新案電子図書館及びＪＤｒｅａｍ２で検索しても、全くない。
【実用新案の開示】
【実用新案が解決しようとする課題】
【０００３】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案の効果】
【０００４】  建築物のベランダからの窃盗目的の侵入者やまた転倒者や幼児の転落が後を立たず、社会問題となっている。マンション等建築物のベランダの侵入者防止及び転倒防止装置があれば、社会的貢献は多大なものがある。
【実用新案を実施するための最良の形態】
【０００５】  ベランダの上部に、圧電センサーあるいはロードセルを多数配置する。圧電センサーあるいはロードセルだけではなく、画像をはじめ、あらゆる感知器を対象とする。
布団や布団止めには感知せず、幼児を始め、侵入や人間がよじ登ったときに感知する。感知するとマンションなどでは、管理事務所をはじめ、至る所で警報が鳴り、隣人等がベランダの壁を破り、救出し、侵入者にはすぐ警察に通報する。自殺者も救出する。
【産業上の利用可能性】
【０００６】  マンション等建築物のベランダからの窃盗目的の侵入者やまた転倒者や幼児など転落等が、社会問題となっている。マンション等建築物のベランダの侵入者防止及び転倒防止装置があれば、社会的貢献は多大なものがある。
【装置の１例】
圧電素子はベランダの上部に配置し、その上にはカバーを設置する。
【図面の簡単な説明】
【０００７】
【図１】原理的には、ベランダの上部に、圧電センサーを配置する。圧電センサーだけではなく、画像をはじめ、あらゆる感知器を対象とする。布団や布団止めには感知せず、幼児を始め侵入者や人間がよじ登ったときに感知する。感知するとマンションなどでは、管理事務所をはじめ、至る所で警報が鳴り、隣人がベランダの壁を破り、救出し、侵入者にはすぐ警察に通報する。
【符号の説明】
【０００８】  図面のとおり。検出器と警報機が重要。